(57)【特許請求の範囲】
【請求項１】
喉頭鏡取っ手と、
喉頭鏡ブレードと、
を備える電気制御高周波ジェット換気喉頭鏡であって、
前記喉頭鏡取っ手と前記喉頭鏡ブレードとが一体型構造を形成し、酸素供給管が前記喉頭鏡取っ手内に配置され、
前記酸素供給管の前端が前記喉頭鏡ブレードの前端に配置され、電球が前記喉頭鏡ブレードの前端に配置され、
喉頭鏡は電子コントローラをさらに備え、
当該電子コントローラは、
外郭本体と、
ソレノイド弁と、
電源モジュールと、
制御モジュールと、
制御スイッチと、から成り、
前記外郭本体が前記喉頭鏡取っ手の先端に固定され、
前記制御スイッチが前記外郭本体に配置され、
前記電源モジュールおよび前記制御モジュールが前記外郭本体内に配置され、
前記ソレノイド弁が前記喉頭鏡取っ手内の前記酸素供給管に配置され、
前記制御モジュールおよび前記制御スイッチが前記電源モジュールと接続され、
前記電子コントローラが前記電源モジュールからの電力によって選択的に始動され、
前記制御スイッチが前記電子コントローラの開閉を制御し、
前記制御モジュールがソレノイド弁と接続され、
前記制御モジュールが前記ソレノイド弁の作業頻度を制御し、
前記電子コントローラが外郭本体に据えられる表示画面をさらに含み、
制御モジュールが前記表示画面と接続され、
前記表示画面が電源モジュールと接続され、
前記電子コントローラの作業状態が前記表示画面に表示される、喉頭鏡。
【請求項２】
薬剤投与管が前記喉頭鏡取っ手内に配置され、
薬剤投与制御弁が前記薬剤投与管内に配置され、
噴射孔が前記喉頭鏡ブレードの前端に配置され、
前記酸素供給管の前端と前記薬剤投与管の前端がそれぞれ前記噴射孔と接続される、請求項１に記載の電気制御高周波ジェット換気喉頭鏡。
【請求項３】
前記喉頭鏡取っ手が着脱可能なスナップ式構造で前記喉頭鏡ブレードと接続され、
喉頭鏡取っ手酸素供給管が前記喉頭鏡取っ手内に配置され、
喉頭鏡ブレード酸素供給管が前記喉頭鏡ブレード内に配置され、
前記喉頭鏡取っ手酸素供給管が前記喉頭鏡ブレード酸素供給管と接続され、
前記ソレノイド弁が前記喉頭鏡取っ手酸素供給管に配置される、請求項１に記載の電気制御高周波ジェット換気喉頭鏡。
【請求項４】
喉頭鏡取っ手薬剤投与管が前記喉頭鏡取っ手内に配置され、
薬剤投与制御弁が前記喉頭鏡取っ手薬剤投与管に配置され、
喉頭鏡ブレード薬剤投与管が前記喉頭鏡ブレードに配置され、
前記喉頭鏡取っ手薬剤投与管が前記喉頭鏡ブレード薬剤投与管と接続され、
噴射孔が前記喉頭鏡ブレードの前端に配置され、
前記喉頭鏡ブレード酸素供給管の前端と前記喉頭鏡ブレード薬剤投与管の前端がそれぞれ前記噴射孔と接続される、請求項３に記載の電気制御高周波ジェット換気喉頭鏡。
【請求項５】
前記喉頭鏡ブレードがフック状断面を有し、
前記喉頭鏡ブレード酸素供給管がフック状喉頭鏡ブレードに配置される、請求項３に記載の電気制御高周波ジェット換気喉頭鏡。
【請求項６】
喉頭鏡ブレード薬剤投与管が前記フック状喉頭鏡ブレードに配置され、
喉頭鏡取っ手薬剤投与管が前記喉頭鏡取っ手内に配置され、
薬剤投与制御弁が前記喉頭鏡取っ手薬剤投与管に配置され、
前記喉頭鏡取っ手薬剤投与管が前記喉頭鏡ブレード薬剤投与管と接続され、
噴射孔が前記喉頭鏡ブレードの前端に配置され、
前記喉頭鏡ブレード酸素供給管の前端と前記喉頭鏡ブレード薬剤投与管の前端がそれぞれ前記噴射孔と接続される、請求項５に記載の電気制御高周波ジェット換気喉頭鏡。
【請求項７】
前記薬剤投与制御弁が薬剤投与ソレノイド弁であり、
前記制御モジュールが前記薬剤投与ソレノイド弁と接続され、
前記制御モジュールが前記薬剤投与ソレノイド弁の作業頻度を制御する、請求項２，４，または６に記載の電気制御高周波ジェット換気喉頭鏡。
【請求項８】
前記薬剤投与制御弁が薬剤投与手動制御弁であり、
前記薬剤投与手動制御弁が前記喉頭鏡取っ手の外郭本体に配置される、請求項２，４，または６に記載の電気制御高周波ジェット換気喉頭鏡。
【請求項９】
前記喉頭鏡がカメラと画像処理モジュールをさらに含み、
前記カメラが前記喉頭鏡ブレードの前端に配置され、
前記画像処理モジュールが前記外郭本体内に配置され、
前記カメラが前記画像処理モジュールと接続され、
前記画像処理モジュールが前記表示画面と接続され、
前記カメラが撮影する画像が前記表示画面に表示され、
前記画像処理モジュールが前記制御スイッチと前記電源モジュールに接続され、
前記カメラと前記画像処理モジュールが前記電源モジュールからの電力によって選択的に始動され、
前記制御スイッチが前記カメラの開閉と前記画像処理モジュールを制御する、請求項１に記載の電気制御高周波ジェット換気喉頭鏡。
【発明の詳細な説明】
【技術分野】
【０００１】
本発明は、高周波ジェット換気喉頭鏡（高周波ノズル通気喉頭鏡）に関し、特に、医療装置の分野での電気制御高周波ジェット換気喉頭鏡に関する。
【背景技術】
【０００２】
現在、市販されているジェット換気喉頭鏡（ノズル通気喉頭鏡）は主に二種類ある。これらの種類の喉頭鏡は異なる機能を有する。第一の種類の喉頭鏡は、挿管過程中に高周波ジェット換気装置と併せて使用しなければならない。この過程では、身体への酸素供給は、ジェット喉頭鏡の換気を通じて高周波ジェット換気装置によって生成されるパルスで実行される。この第一の種類の喉頭鏡は高周波換気装置と併せて使用しなければならないために柔軟性に欠け、現場心肺蘇生での気管挿管に適さない。
【０００３】
第二の種類の喉頭鏡は手動ジェット換気喉頭鏡である。この喉頭鏡は、喉頭鏡取っ手に配置される手動酸素遮断弁を含む。この弁の始動は酸素ガス流を選択的に遮断してパルスを生成することによって、ジェット換気を通じて酸素を身体に供給する。この第二の種類の喉頭鏡の欠点は、治療過程中に換気頻度を手動で制御する必要がある点である。通常、手動制御の最高頻度は一分間当たり約三十回の拍動が達成可能であり、許容可能な一分間当たり百十回の高周波換気頻度を達成するには不十分である。さらに、気管挿管過程で、換気頻度を手動で制御すると同時に、声門の観察に集中する必要がある。この手順はオペレータにとって困難かつ不便であり、手と目が上手く連携できるオペレータであっても、同手順は効率的な患者治療方法とはみなされない。
【発明の概要】
【発明が解決しようとする課題】
【０００４】
上述した既存の技術の欠点を克服するため、本発明の目的は電気制御高周波ジェット換気喉頭鏡（電気制御されたノズル通気喉頭鏡）を提供する。
【課題を解決するための手段】
【０００５】
本発明は以下の技術的実施形態によって実現される。第一実施形態によると、喉頭鏡取っ手（喉頭鏡把持部）と喉頭鏡ブレードとを含む電気制御高周波ジェット換気喉頭鏡が提供され、前記喉頭鏡取っ手と前記喉頭鏡ブレードが一体型構造を形成し、酸素供給管が前記喉頭鏡取っ手内に配置され、前記酸素供給管の前端は前記喉頭鏡ブレードの前端に配置される。電球は前記喉頭鏡ブレードの前端に配置される。喉頭鏡は、外郭本体と、表示画面と、ソレノイド弁と、電源モジュールと、制御モジュールと、制御スイッチとから成る電子コントローラをさらに含む。前記外郭本体は前記喉頭鏡取っ手の先端に配置される。前記表示画面および制御スイッチは前記外郭本体に配置される。前記電源モジュールおよび前記制御モジュールは前記外郭本体に配置される。前記ソレノイド弁は前記喉頭鏡取っ手内の前記酸素供給管に配置される。前記表示画面、前記制御モジュール、および前記制御スイッチは前記電源モジュールと接続される。前記電子コントローラは前記電源モジュールからの電力によって選択的に始動される。前記制御スイッチは前記電子コントローラの開閉を制御する。前記制御モジュールは前記表示画面と前記ソレノイド弁とにそれぞれ接続される。前記制御モジュールは前記ソレノイド弁の作業頻度を制御する。前記電子コントローラの作業状態は前記表示画面に表示される。
【０００６】
薬剤投与管は前記喉頭鏡取っ手内に配置される。薬剤投与制御弁は前記薬剤投与管に配置される。噴射孔は前記喉頭鏡ブレードの前端に配置される。前記酸素供給管の前端と前記薬剤投与管の前端はそれぞれ前記噴射孔と接続される。
【０００７】
前記喉頭鏡取っ手は着脱可能なスナップ式構造で前記喉頭鏡ブレードと接続される。喉頭鏡取っ手酸素供給管は前記喉頭鏡取っ手内に配置される。喉頭鏡ブレード酸素供給管は前記喉頭鏡ブレード内に配置される。前記喉頭鏡取っ手酸素供給管は前記喉頭鏡ブレード酸素供給管と接続される。前記ソレノイド弁は前記喉頭鏡取っ手酸素供給管に配置される。
【０００８】
喉頭鏡取っ手薬剤投与管は前記喉頭鏡取っ手に配置される。薬剤投与制御弁は前記喉頭鏡取っ手薬剤投与管に配置される。喉頭鏡ブレード薬剤投与管は前記喉頭鏡ブレードに配置される。前記喉頭鏡取っ手薬剤投与管は前記喉頭鏡ブレード薬剤投与管と接続される。噴射孔は前記喉頭鏡ブレードの前端に配置される。前記喉頭鏡ブレード酸素供給管の前端と前記喉頭鏡ブレード薬剤投与管の前端はそれぞれ前記噴射孔と接続される。
【０００９】
前記喉頭鏡ブレードはフック状断面を有し、前記喉頭鏡ブレード酸素供給管は前記フック状喉頭鏡ブレードに配置される。
【００１０】
喉頭鏡ブレード薬剤投与管は前記フック状喉頭鏡ブレードに配置される。喉頭鏡取っ手薬剤投与管は前記喉頭鏡取っ手内に配置される。薬剤投与制御弁は前記喉頭鏡取っ手薬剤投与管に配置される。前記喉頭鏡取っ手薬剤投与管は前記喉頭鏡ブレード薬剤投与管と接続される。前記噴射孔は前記喉頭鏡ブレードの前端に配置される。前記喉頭鏡ブレード酸素供給管の前端と前記喉頭鏡ブレード薬剤投与管の前端はそれぞれ前記噴射孔と接続される。
【００１１】
前記薬剤投与制御弁は薬剤投与ソレノイド弁である。前記制御モジュールは前記薬剤投与ソレノイド弁と接続される。前記制御モジュールは前記薬剤投与ソレノイド弁の作業頻度を制御する。
【００１２】
前記薬剤投与制御弁は薬剤投与手動制御弁である。前記薬剤投与手動制御弁は前記喉頭鏡取っ手の外郭本体に配置される。
【００１３】
喉頭鏡はカメラと画像処理モジュールもさらに含む。前記カメラは前記喉頭鏡ブレードの前端に配置され、前記画像処理モジュールは前記外郭本体内に配置される。前記カメラは前記画像処理モジュールと接続される。前記画像処理モジュールは前記表示画面と接続される。前記カメラが撮影する画像は前記表示画面に表示される。前記画像処理モジュールは前記制御スイッチと前記電源モジュールに接続される。前記カメラと前記画像処理モジュールは電源モジュールによって供給される電力により選択的に始動される。前記制御スイッチは前記カメラの開閉と前記画像処理モジュールを制御する。
【発明の効果】
【００１４】
本発明の利点は以下の通りである。酸素供給は、心肺蘇生の気管挿管中に電子自動制御プロセスを通じた高周波ジェット換気（高周波ノズル通気）によって実行される。同時に、危篤患者の迅速な治療のために心肺蘇生薬剤を身体に注射することができる。自家動力型喉頭鏡は小型で、柔軟で、携帯可能で、操作しやすく、正確で、使用する上で信頼度が高い。よって、患者の取り扱いを含め様々な現場での心肺蘇生状況に適する。
【図面の簡単な説明】
【００１５】
【図１】実施形態１の概略図である。
【図２】電子コントローラの全体概略図である。
【図３】電子コントローラの回路接続概略図である。
【図４】実施形態２の構造概略図である。
【図５】実施形態３の構造概略図である。
【図６】実施形態３の電子コントローラの回路接続概略図である。
【図７】実施形態４の構造概略図である。
【図８】実施形態５の構造概略図である。
【図９】実施形態６の構造概略図である。
【図１０】実施形態７の構造概略図である。
【図１１】実施形態７の電子コントローラの回路接続概略図である。
【符号の説明】
【００１６】
機能リスト：喉頭鏡取っ手１、喉頭鏡ブレード２、酸素供給管３、電球４、電子コントローラ５、外郭本体６、表示画面７、ソレノイド弁８、電源モジュール９、制御モジュール１０、制御スイッチ１１、薬剤投与管１２、薬剤投与制御弁１３、噴射孔１４、喉頭鏡取っ手酸素供給管１５、喉頭鏡ブレード酸素供給管１６、喉頭鏡取っ手薬剤投与管１７、喉頭鏡ブレード薬剤投与管１８、薬剤投与手動制御弁１９、薬剤投与ソレノイド弁２０、フック状喉頭鏡ブレード２１、カメラ２２、画像処理モジュール２３
【発明を実施するための形態】
【００１７】
実施形態１
図１〜３を参照すると、第一の実施形態による電気制御高周波ジェット換気喉頭鏡（電気制御されたノズル通気喉頭鏡）が示されている。喉頭鏡は喉頭鏡取っ手１と喉頭鏡ブレード２とを含む。喉頭鏡取っ手１および喉頭鏡ブレード２は一体型構造を形成する。酸素供給管３は喉頭鏡取っ手１内に配置される。酸素供給管３の前端は喉頭鏡ブレード２の前端に置かれる。電球４は喉頭鏡ブレード２の前端に配置される。
【００１８】
喉頭鏡は、外郭本体６と、表示画面７と、ソレノイド弁（電磁弁）８と、電源モジュール９と、制御モジュール１０と、制御スイッチ１１とから成る電子コントローラ５をさらに含む。外郭本体６は喉頭鏡取っ手１の先端に固定される。表示画面７と制御スイッチ１１は外郭本体６に配置され、電源モジュール９と制御モジュール１０はどちらも外郭本体６内に配置される。ソレノイド弁８は喉頭鏡取っ手１内の酸素供給管３に配置される。表示画面７、制御モジュール１０、および制御スイッチ１１はどれも電源モジュール９に接続される。電子コントローラ５は電源モジュール９から供給される電力によって電気的に始動される。制御スイッチ１１は電子コントローラ５の開閉を制御する。
【００１９】
ソレノイド弁８の作業頻度を制御する制御モジュール１０は、表示画面７とソレノイド弁８にそれぞれ接続される。電子コントローラ５の作業状態は表示画面７に表示される。喉頭鏡は小型で、柔軟で、操作しやすく、酸素供給は電子自動制御を通じた高周波ジェット換気によって実行される。酸素供給量と酸素供給頻度はいずれも正確かつ確実に制御される。したがって、喉頭鏡は様々な現場での患者心肺蘇生において事態を上手く処理するのに適し、危篤患者を迅速に治療するという目的を達成することができる。
【００２０】
実施形態２
図４を参照すると、第二の実施形態による電気制御高周波ジェット換気喉頭鏡が示されている。喉頭鏡は、喉頭鏡取っ手１と、喉頭鏡ブレード２と、酸素供給管３と、電球４と、電子コントローラ５と、外郭本体６と、表示画面７と、ソレノイド弁８と、電源モジュール９と、制御モジュール１０と、制御スイッチ１１とを含む。これらの要素の位置および機能は、上記実施形態１に記載したものと同一である。
【００２１】
実施形態２の喉頭鏡は、薬剤投与管１２と、薬剤投与制御弁１３と、噴射孔１４と、薬剤投与手動制御弁１９もさらに含む。薬剤投与管１２は喉頭鏡取っ手１内に配置され、薬剤投与制御弁１３は薬剤投与管１２内に配置される。薬剤投与制御弁１３は薬剤投与手動制御弁１９であり、喉頭鏡取っ手１の外郭に配置される。
【００２２】
噴射孔１４は喉頭鏡ブレード２の前端に配置され、酸素供給管３の前端と薬剤投与管１２の前端はそれぞれ噴射孔１４と接続される。
【００２３】
実施形態２の喉頭鏡は小型で、柔軟で、操作しやすく、酸素供給は電子自動制御を通じた高周波ジェット換気によって実行される。酸素供給量と酸素供給頻度はいずれも正確かつ確実に制御可能である。患者治療中、液体通路を解放させるのが困難であり、心肺蘇生薬剤を身体に注入できない場合、心肺蘇生薬剤を霧状にして気管を通って身体内に吸入させることができる。この過程全体を通じて、吸入速度は静脈注射よりも速い。よって、危篤患者の迅速な治療が可能である。
【００２４】
実施形態３
図５および図６を参照すると、第三の実施形態による電気制御高周波ジェット換気喉頭鏡が示されている。実施形態３の喉頭鏡は、喉頭鏡取っ手１と、喉頭鏡ブレード２と、酸素供給管３と、電球４と、電子コントローラ５と、外郭本体６と、表示画面７と、ソレノイド弁８と、電源モジュール９と、制御モジュール１０と、制御スイッチ１１と、薬剤投与管１２と、薬剤投与制御弁１３と、噴射孔１４と、先の実施形態と共通する薬剤投与ソレノイド弁２０とを含む。実施形態３では、実施形態２の薬剤投与手動制御弁１９は薬剤投与電磁弁２０によって置き換えられ、それらの接続構造は実施形態２と同一である。すなわち、制御モジュール１０は薬剤投与ソレノイド弁１８と接続され、制御モジュール１０は薬剤投与ソレノイド弁１８の作業頻度を制御する。
【００２５】
実施形態３の喉頭鏡は小型で、柔軟で、操作しやすく、酸素供給は電子自動制御を通じた高周波ジェット換気によって実行される。酸素供給量および酸素供給頻度はいずれも正確かつ確実に制御可能である。液体通路を解放させるのが困難であり、心肺蘇生薬剤を身体に注入できない場合、心肺蘇生薬剤を霧状にして気管を通って身体内に吸入させることができる。これにより吸入速度は静脈注射の場合よりも速まるため、危篤患者をより迅速に治療することができる。
【００２６】
実施形態４
図７を参照すると、第四の実施形態による電気制御高周波ジェット換気喉頭鏡が示されている。実施形態４の喉頭鏡は喉頭鏡取っ手１と喉頭鏡ブレード２とを含み、喉頭鏡取っ手１は着脱可能なスナップ式構造で喉頭鏡ブレード２と接続される。喉頭鏡取っ手酸素供給管１５は前記喉頭鏡取っ手１内に配置され、喉頭鏡ブレード酸素供給管１６は前記喉頭鏡ブレード２内に配置される。喉頭鏡取っ手酸素供給管１５は喉頭鏡ブレード酸素供給管１６と接続され、電球４は喉頭鏡ブレード２の前端に配置される。
【００２７】
喉頭鏡は、先の実施形態と同様、外郭本体６と、表示画面７と、ソレノイド弁８と、電源モジュール９と、制御モジュール１０と、制御スイッチ１１とから成る電子コントローラ５をさらに含む。外郭本体６は喉頭鏡取っ手１の先端に固定され、表示画面７と制御スイッチ１１は外郭本体６に配置される。電源モジュール９と制御モジュール１０は外郭本体６内に配置される。
【００２８】
電磁弁８は喉頭鏡取っ手酸素供給管１５に配置される。表示画面７、制御モジュール１０、制御スイッチ１１はどれも電源モジュール９と接続される。電子コントローラ５は電源モジュール９から供給される電力によって選択的に電気的に始動され、制御スイッチ１１は電子コントローラ５の開閉を制御する。制御モジュール１０は電磁弁８の作業頻度を制御し、表示画面７およびソレノイド弁８とそれぞれ接続される。最後に、電子コントローラ５の作業状態は表示画面７に表示される。
【００２９】
実施形態４の喉頭鏡は操作しやすく、様々な年代の患者用の様々な種類の喉頭鏡ブレード２を使用することができる。酸素供給は電子制御を通じた高周波ジェット換気によって実行することができる。酸素供給量と酸素供給頻度はいずれも正確かつ確実に制御可能である。

【００３０】
実施形態５
図８を参照すると、第五の実施形態による電気制御高周波ジェット換気喉頭鏡が示されている。実施形態５の喉頭鏡は、喉頭鏡取っ手１と、喉頭鏡ブレード２と、電球４と、電子コントローラ５と、外郭本体６と、表示画面７と、電磁弁８と、電源モジュール９と、制御モジュール１０と、制御スイッチ１１と、喉頭鏡取っ手酸素供給管１５と、喉頭鏡ブレード酸素供給管１６とを含む。これらの要素の位置および機能は実施形態４と同一である。
【００３１】
喉頭鏡は、薬剤投与制御弁１３と、噴射孔１４と、喉頭鏡取っ手薬剤投与管１７と、喉頭鏡ブレード薬剤投与管１８と、薬剤投与手動制御弁１９とをさらに含む。喉頭鏡取っ手薬剤投与管１７は喉頭鏡取っ手１に据えられる。薬剤投与制御弁１３は喉頭鏡取っ手薬剤投与管１７に据えられる。薬剤投与制御弁１３は薬剤投与手動制御弁１９である。薬剤投与手動制御弁１９は喉頭鏡取っ手の外郭本体に搭載される。喉頭鏡ブレード薬剤投与管１８は喉頭鏡ブレード２に据えられる。喉頭鏡取っ手薬剤投与管１７は喉頭鏡ブレード薬剤投与管１８と接続される。噴射孔１４は喉頭鏡ブレード２の前端に据えられる。喉頭鏡ブレード酸素供給管１６の前端と喉頭鏡ブレード薬剤投与管１８の前端はそれぞれ噴射孔１４と接続される。
【００３２】
実施形態５の喉頭鏡は操作しやすく、様々な年代の患者用の様々な種類の喉頭鏡ブレード２を使用することができる。酸素供給は、電子自動制御を通じた高周波ジェット換気によって実行することができる。酸素供給量と酸素供給頻度はいずれも正確かつ確実である。液体通路を解放させるのが困難であり、心肺蘇生薬剤を身体に注入できない場合、心肺蘇生薬剤を霧状にして気管を通って身体内に吸入させることができ、吸入速度は静脈注射よりも速いため、危篤患者を迅速に治療するという目的を達成することができる。
【００３３】
実施形態６
図９を参照すると、第六の実施形態による電気制御高周波ジェット換気喉頭鏡が示されている。実施形態６の喉頭鏡は、喉頭鏡取っ手１と、喉頭鏡ブレード２と、電球４と、電子コントローラ５と、外郭本体６と、表示画面７と、ソレノイド弁８と、電源モジュール９と、制御モジュール１０と、制御スイッチ１１とを含む。これらの要素の位置および機能は実施形態５とほぼ同一である。
【００３４】
実施形態６の喉頭鏡は、薬剤投与制御弁１３と、噴射孔１４と、喉頭鏡取っ手酸素供給管１５と、喉頭鏡ブレード酸素供給管１６と、喉頭鏡取っ手薬剤投与管１７と、喉頭鏡ブレード薬剤投与管１８と、薬剤投与手動制御弁１９とをさらに含む。喉頭鏡ブレード２はフック状喉頭鏡ブレード２１の形状であり、喉頭鏡ブレード酸素供給管１６がフック状喉頭鏡ブレード２１に配置される。喉頭鏡ブレード薬剤投与管１８もフック状喉頭鏡ブレード２１に配置され、喉頭鏡取っ手薬剤投与管１７は喉頭鏡取っ手１に据えられる。薬剤投与制御弁１３は喉頭鏡取っ手薬剤投与管１７に配置され、喉頭鏡取っ手薬剤投与管１７は喉頭鏡ブレード薬剤投与管１８と接続される。噴射孔１４はフック状喉頭鏡ブレード２１の前端に配置され、喉頭鏡ブレード酸素供給管１６の前端と喉頭鏡ブレード薬剤投与管１８の前端とはそれぞれ噴射孔１４と接続される。
【００３５】
実施形態６の喉頭鏡は操作しやすく、様々な年代の患者を治療するための様々な種類の喉頭鏡ブレード２を使用することができる。酸素供給は電子制御を通じた高周波ジェット換気によって実行することができる。酸素供給量と酸素供給頻度はいずれも正確かつ確実に制御可能である。状況によっては、患者の喉が詰まって、液体通路を解放できない場合がある。このような状況では、心肺蘇生薬剤を身体に注入できず、高喉頭、喉頭蓋肥大、および歯突出状態などで挿管が困難なことがある。実施形態６の喉頭鏡を使用して、心肺蘇生薬剤を霧状にして気管を通って身体に吸入させることができ、吸入速度は静脈注射よりも速い。よって、危篤患者を迅速に治療することができる。
【００３６】
実施形態７
図１０および図１１を参照すると、第七の実施形態による電気制御高周波ジェット換気喉頭鏡が示されている。実施形態７の喉頭鏡は、喉頭鏡取っ手１と、喉頭鏡ブレード２と、酸素供給管３と、電球４と、電子コントローラ５と、外郭本体６と、表示画面７と、ソレノイド弁８と、電源モジュール９と、制御モジュール１０と、制御スイッチ１１と、を実施形態１で上述されたように含む。
【００３７】
実施形態７の喉頭鏡はカメラ２２と画像処理モジュール２３をさらに含む。カメラ２２は喉頭鏡ブレード２の前端に配置され、画像処理モジュール２３は外郭本体６内に配置される。カメラ２２は画像処理モジュール２３に接続され、次いで画像処理モジュール２３は表示画面７と接続される。カメラ２２で撮影された画像は表示画面７に表示される。
【００３８】
画像処理モジュール２３は制御スイッチ１１と電源モジュール９に接続される。カメラ２２と画像処理モジュール２３は電源モジュール９から供給される電力によって選択的に電気的に始動される。制御スイッチ１１はカメラ２２の開閉と画像処理モジュール２３の動作を制御する。一実施形態では、画像処理モジュール２３は画像捕捉カードである。
【００３９】
実施形態７の喉頭鏡は小型で、柔軟で、操作しやすく、様々な年代の患者を治療するための様々な種類の喉頭鏡ブレード２を使用することができる。酸素供給は電子制御を通じた高周波ジェット換気によって実行することができる。酸素供給量および酸素供給頻度はいずれも正確かつ確実に制御可能である。実施形態７の喉頭鏡は、迅速かつ正確な挿管用に明瞭な画像を提供し、挿管の外傷や切開事故を低減することができる。よって、実施形態７の喉頭鏡は、患者の取り扱いなど様々な現場での心肺蘇生状況に適し、危篤患者を迅速に治療するのに役立てることができる。
【図１】
0005809345.tif 000002
【図２】
0005809345.tif 000003
【図３】
0005809345.tif 000004
【図４】
0005809345.tif 000005
【図５】
0005809345.tif 000006
【図６】
0005809345.tif 000007
【図７】
0005809345.tif 000008
【図８】
0005809345.tif 000009
【図９】
0005809345.tif 000010
【図１０】
0005809345.tif 000011
【図１１】
0005809345.tif 000012